(57)【要約】【課題】コネクタ端子が電磁リレーから抜ける可能性を低くすることのできる電磁リレーカバーを提供する。【解決手段】電磁リレーカバー１は、載置体６０に載置される電磁リレー２０と、電磁リレー２０に挿抜されるコネクタ端子３１〜３４とを覆う。電磁リレーカバー１は、本体部１０と、複数の固定部（第１固定部１４、第２固定部１５）とを備える。本体部１０は、コネクタ端子３１〜３４が電磁リレー２０に装着された状態で、コネクタ端子３１〜３４を電磁リレー２０との間で挟む。上記複数の固定部は、本体部１０の両端部から延びて設けられており、載置体６０に固定される。【選択図】図１
2017168368.tif 000002
【特許請求の範囲】
【請求項１】
載置体に載置される電磁リレーと、前記電磁リレーに挿抜されるコネクタ端子とを覆う電磁リレーカバーであって、
前記コネクタ端子が前記電磁リレーに装着された状態で、前記コネクタ端子を前記電磁リレーとの間で挟む本体部と、
前記本体部の両端部から延びて設けられており、前記載置体に固定される複数の固定部とを備える
ことを特徴とする電磁リレーカバー。
【請求項２】
前記複数の固定部は、固定ねじにより前記コネクタ端子の挿抜方向で前記載置体に固定される
ことを特徴とする請求項１に記載の電磁リレーカバー。
【請求項３】
前記複数の固定部は、前記固定ねじにより前記電磁リレーとともに前記載置体に固定される
ことを特徴とする請求項２に記載の電磁リレーカバー。
【請求項４】
前記本体部は、
前記コネクタ端子の挿抜方向で前記コネクタ端子を前記電磁リレーとの間で挟む第１板部と、
前記第１板部の両端から前記挿抜方向に延びて設けられており、前記挿抜方向と直交する一の方向で前記電磁リレーを挟み込む複数の第２板部とを有しており、
前記複数の固定部は、前記複数の第２板部の先端部から延びて設けられている
ことを特徴とする請求項１〜３のいずれか一項に記載の電磁リレーカバー。
【請求項５】
前記電磁リレーは、前記一の方向の両面のうち少なくとも１つの面に設けられたロック爪を有しており、
前記複数の固定部のうち少なくとも１つの固定部には、係止部が設けられており、
前記係止部は、前記挿抜方向への前記本体部の移動を抑止するように前記ロック爪により係止される
ことを特徴とする請求項４に記載の電磁リレーカバー。
【請求項６】
前記複数の固定部のそれぞれは、前記載置体と、前記載置体に対向する前記電磁リレーの対向面との間に設けられており、前記コネクタ端子および前記電磁リレーを前記第１板部との間で挟み込む爪部を備える
ことを特徴とする請求項４または５に記載の電磁リレーカバー。
【発明の詳細な説明】
【技術分野】
【０００１】
本発明は、電磁リレーカバーに関し、より詳細にはコネクタ端子が装着された状態の電磁リレーを固定する電磁リレーカバーに関する。
【背景技術】
【０００２】
従来、ソケットと接続される電磁継電器が、電気自動車やハイブリッド車に搭載される（例えば、特許文献１参照）。特許文献１で記載された電磁継電器には、ソケットを連結するために一対のタブ端子が設けられている。ソケットは、タブ端子に対して挿抜される。
【先行技術文献】
【特許文献】
【０００３】
【特許文献１】特開２０１３−２３２３００号公報
【発明の概要】
【発明が解決しようとする課題】
【０００４】
特許文献１で記載された電磁継電器（電磁リレー）は、電磁継電器にソケット（コネクタ端子）が接続された状態で、電気自動車やハイブリッド車に搭載される。そのため、電気自動車やハイブリッド車が走行中に、電気自動車やハイブリッド車に強い振動が与えられると、その影響でソケットが電磁継電器から抜ける可能性がある。
【０００５】
本発明は上記課題に鑑みてなされ、コネクタ端子が電磁リレーから抜ける可能性を低くすることのできる電磁リレーカバーを提供することを目的とする。
【課題を解決するための手段】
【０００６】
本発明に係る第１の態様の電磁リレーカバーは、載置体に載置される電磁リレーと、前記電磁リレーに挿抜されるコネクタ端子とを覆う。前記電磁リレーカバーは、前記コネクタ端子が前記電磁リレーに装着された状態で、前記コネクタ端子を前記電磁リレーとの間で挟む本体部と、前記本体部の両端部から延びて設けられており、前記載置体に固定される複数の固定部とを備える。
【０００７】
本発明に係る第２の態様の電磁リレーカバーでは、第１の態様の電磁リレーカバーにおいて、前記複数の固定部は、固定ねじにより前記コネクタ端子の挿抜方向で前記載置体に固定される。
【０００８】
本発明に係る第３の態様の電磁リレーカバーでは、第２の態様の電磁リレーカバーにおいて、前記複数の固定部は、前記固定ねじにより前記電磁リレーとともに前記載置体に固定される。
【０００９】
本発明に係る第４の態様の電磁リレーカバーでは、第１〜第３の態様のいずれかの電磁リレーカバーにおいて、前記本体部は、第１板部と、複数の第２板部とを有する。前記第１板部は、前記コネクタ端子の挿抜方向で前記コネクタ端子を前記電磁リレーとの間で挟む。前記複数の第２板部は、前記第１板部の両端から前記挿抜方向に延びて設けられており、前記挿抜方向と直交する一の方向で前記電磁リレーを挟み込む。前記複数の固定部は、前記複数の第２板部の先端部から延びて設けられている。
【００１０】
本発明に係る第５の態様の電磁リレーカバーでは、第４の態様の電磁リレーカバーにおいて、前記電磁リレーは、前記一の方向の両面のうち少なくとも１つの面に設けられたロック爪を有している。前記複数の固定部のうち少なくとも１つの固定部には、係止部が設けられている。前記係止部は、前記コネクタ端子の挿抜方向への前記本体部の移動を抑止するように前記ロック爪により係止される。
【００１１】
本発明に係る第６の態様の電磁リレーカバーでは、第４または第５の態様の電磁リレーカバーにおいて、前記複数の固定部のそれぞれは、爪部を備える。前記爪部は、前記載置体と、前記載置体に対向する前記電磁リレーの対向面との間に設けられており、前記コネクタ端子および前記電磁リレーを前記第１板部との間で挟み込む。
【発明の効果】
【００１２】
本発明によれば、本体部が前記コネクタ端子を前記電磁リレーとの間で挟み、本体部の両端部から延びて設けられた複数の固定部が載置体に固定されるので、コネクタ端子が電磁リレーから抜ける可能性を低くすることができる。
【図面の簡単な説明】
【００１３】
【図１】図１Ａは、本発明の実施形態１に係る電磁リレーカバーがコネクタ端子を装着した電磁リレーを覆った状態の斜視図であり、図１Ｂは、同上の電磁リレーカバー、コネクタ端子および電磁リレーの斜視図である。
【図２】図２は、同上の電磁リレーカバーがコネクタ端子を装着した電磁リレーを覆った状態の正面図である。
【図３】図３Ａは、本発明の実施形態２に係る電磁リレーカバーがコネクタ端子を装着した電磁リレーを覆った状態の斜視図であり、図３Ｂは、同上の電磁リレーカバー、コネクタ端子および電磁リレー斜視図である。
【図４】図４は、同上の電磁リレーカバーがコネクタ端子を装着した電磁リレーを覆った状態の右側面図である。
【図５】図５Ａは、本発明の実施形態３に係る電磁リレーカバーがコネクタ端子を装着した電磁リレーを覆った状態の斜視図であり、図５Ｂは、同上の電磁リレーカバー、コネクタ端子および電磁リレーの斜視図である。
【図６】図６は、同上の電磁リレーカバーがコネクタ端子を装着した電磁リレーを覆った状態の断面図である。
【発明を実施するための形態】
【００１４】
（実施形態１）
本実施形態における電磁リレーカバー１について、図１Ａ，１Ｂ、図２を用いて説明する。ただし、以下に説明する構成は、本発明の一例に過ぎず、本発明は下記の実施形態に限定されることはなく、この実施形態以外であっても、本発明に係る技術的思想を逸脱しない範囲であれば、設計等に応じて種々の変更が可能である。
【００１５】
電磁リレーカバー１は、電磁リレー２０と、電磁リレー２０に挿抜されるコネクタ端子３１〜３４とを覆う。ここで、電磁リレー２０およびコネクタ端子３１〜３４は、電気自動車やハイブリッド車に搭載され、ＥＶリレーのプリチャージに用いられる。また、電磁リレー２０およびコネクタ端子３１〜３４は、車載用のＥＶリレーのプリチャージの用途の他、例えば家電製品等に搭載され、通電切替の用途に用いられてもよい。
【００１６】
以下では、図１Ａにおいて、電磁リレー２０の長手方向を左右方向とし、電磁リレー２０の短手方向を前後方向とし、電磁リレー２０とコネクタ端子３１〜３４とが重なる方向（高さ方向）を上下方向とする。なお、図１Ａには、これらの方向（上、下、左、右）を表す矢印を示すが、この矢印は、単に説明を補助する目的で記載しているに過ぎず、実体を伴わない。また、上記の方向の規定は、本実施形態の電磁リレーカバー１の使用形態を限定する趣旨ではない。
【００１７】
まず、電磁リレー２０とコネクタ端子３１〜３４について簡単に説明する。電磁リレー２０は、載置体６０に載置される。電磁リレー２０は、例えばヒンジ式の電磁リレーであり、電磁石と、接点機構とから構成され、電磁石に、電流を流したときに生じる電磁吸引力を利用して、接点機構を動作させる。例えば、電磁リレー２０は、鉄心に巻かれたコイルに電流を流すことにより、接点機構の開閉を行う。
【００１８】
電磁リレー２０は、上述した鉄心、コイルおよび接点機構の他、第１端子２１、第２端子２２、第３端子２３および第４端子２４を含んでいる（図１Ｂ参照）。
【００１９】
第１端子２１、第２端子２２は、接点機構と電気的に接続されている。また、コイルの第１端には、第３端子２３が、コイルの第２端には第４端子２４が、それぞれ電気的に接続されている。
【００２０】
コネクタ端子３１，３２は、電源系統（例えば商用電源系統、またはバッテリ）と負荷とを繋ぐ電路に電気的に接続されている。コネクタ端子３３，３４は、コイルに電流を流す電源を繋ぐ電路に電気的に接続されている。
【００２１】
第１端子２１にコネクタ端子３１が、第２端子２２にコネクタ端子３２が、上下方向にそれぞれ挿抜され、第３端子２３にコネクタ端子３３が、第４端子２４にコネクタ端子３４が、上下方向にそれぞれ挿抜される。
【００２２】
コネクタ端子３３，３４が、第３端子２３および第４端子２４にそれぞれ挿入された状態で、コネクタ端子３３，３４に電流が流れると、電磁リレー２０のコイルにも電流が流れる。コイルに電流が流れることで、鉄心に磁束が発生し、その磁束により接点機構が開状態から閉状態となる。接点機構が閉状態となることで、接点機構に電流が流れて、負荷にも電流が流れる。
【００２３】
電磁リレー２０は、コイルに電流を流したり、流さなかったりすることで、接点機構の開閉を制御して負荷へ電流を流したり、流さなかったりする。
【００２４】
また、電磁リレー２０には、長手方向（左右方向）の両面の下端部に、円形状の貫通孔２５１を有する第１設置部２５が右方向に、円形状の貫通孔２６１を有する第２設置部２６が左方向に、それぞれ延びて設けられている（図１Ｂ参照）。第１設置部２５と第２設置部２６とは同一の形状である。固定ねじ５０は、第１設置部２５の貫通孔２５１を介して、載置体６０のねじ孔６１に挿入される。固定ねじ５１は、第２設置部２６の貫通孔２６１を介して、載置体６０のねじ孔６２に挿入される。固定ねじ５０，５１により、電磁リレー２０はねじ止めされる。
【００２５】
次に、電磁リレーカバー１について説明する。
【００２６】
電磁リレーカバー１は、合成樹脂、金属等の材料で形成されており、図１Ａ，１Ｂに示すように、本体部１０と、複数の固定部（第１固定部１４、第２固定部１５）とを備える。
【００２７】
本体部１０は、上板１１（第１板部）と、第１側板１２および第２側板１３（複数の第２板部）とを有している。上板１１は、コネクタ端子３１〜３４の挿抜方向でコネクタ端子３１〜３４を電磁リレー２０との間で挟む。第１側板１２および第２側板１３は、コネクタ端子３１〜３４の挿抜方向（上下方向）と直交する一の方向（左右方向）で電磁リレー２０を挟み込む。
【００２８】
第１側板１２は、左右方向における上板１１の一端部から下方向に延びて設けられており、第２側板１３は、左右方向における上板１１の他端部から下方向に延びて設けられている（図１Ｂ参照）。第１側板１２の中央付近には第１開口部１２１が、第２側板１３の中央付近には第２開口部１３１が、それぞれ設けられている（図１Ｂ参照）。第１側板１２、第２側板１３は、第１開口部１２１、第２開口部１３１をそれぞれ有することで、第１開口部１２１、第２開口部１３１をそれぞれ有しない場合と比べてより大きい弾性力を有する。
【００２９】
第１固定部１４は、第１側板１２の先端部から右方向に延びて設けられている（図１Ｂ参照）。第１固定部１４は、左右方向に対して左端部であって前後方向に対して中央部に半円状の第１凹部１４１を有している。固定ねじ５０は、電磁リレー２０を載置体に固定する際には、第１凹部１４１を通り、対応する貫通孔２５１に挿入される。
【００３０】
第２固定部１５は、第２側板１３の先端部から左方向に延びて設けられている（図１Ｂ参照）。第２固定部１５は、左右方向に対して右端部であって前後方向に対して中央部に半円状の第２凹部１５１を有している（図１Ｂ参照）。固定ねじ５１は、電磁リレー２０を載置体に固定する際には、第２凹部１５１を通り、対応する貫通孔２６１に挿入される。
【００３１】
電磁リレーカバー１の長手方向（左右方向）の内径は、電磁リレー２０の長手方向（左右方向）の長さと同一である（図２参照）。また、電磁リレーカバー１の前後方向の外径は、電磁リレー２０の前後方向の長さと同一である。電磁リレーカバー１の上下方向の内径ｄ１は、コネクタ端子３１〜３４が電磁リレー２０に装着された状態における上下方向の長さ（高さ）ｄ２から第１設置部２５（第２設置部２６）の上下方向の長さｄ３を差し引いた長さと同一である（図２参照）。なお、ここで、本実施形態の同一とは、完全同一だけでなく、許容範囲の誤差を含んでいる。
【００３２】
電磁リレーカバー１は、コネクタ端子３１〜３４が装着された状態の電磁リレー２０の上から装着される。上述したように、電磁リレーカバー１の長手方向の内径は、電磁リレー２０の長手方向の長さと同一であるので、電磁リレー２０は、第１側板１２と第２側板１３とで挟み込まれる。
【００３３】
電磁リレーカバー１が電磁リレー２０に装着された後、固定ねじ５０は、第１凹部１４１および貫通孔２５１を介して、ねじ孔６１に挿入される。固定ねじ５１は、第２凹部１５１および貫通孔２６１を介して、ねじ孔６２に挿入される。つまり、第１固定部１４および第２固定部１５は、固定ねじ５０，５１により電磁リレー２０とともに載置体６０に固定される。これにより、電磁リレーカバー１と電磁リレー２０とは、共通の部品（固定ねじ５０，５１）で載置体６０に固定されるので、個別の部品を用いて個別に固定される場合と比較して部品の点数を削減することができる。
【００３４】
また、電磁リレーカバー１が載置体６０で固定されると、上板１１が、コネクタ端子３１〜３４を電磁リレー２０との間で挟むので、コネクタ端子３１〜３４が電磁リレー２０から抜けることを防止することができる。
【００３５】
また、電磁リレーカバー１が載置体６０に固定ねじ５０，５１で固定された場合、固定ねじ５０，５１は、コネクタ端子３１〜３４の挿抜方向でねじ孔６１，６２に挿入されている。つまり、電磁リレーカバー１の第１固定部１４および第２固定部１５は、固定ねじ５０，５１によりコネクタ端子３１〜３４の挿抜方向で固定されている。また、上述したように、電磁リレーカバー１の上下方向の内径ｄ１は、コネクタ端子３１〜３４が電磁リレー２０に装着された状態における上下方向の長さ（高さ）ｄ２から第１設置部２５（第２設置部２６）の上下方向の長さｄ３を差し引いた長さと同一である。よって、コネクタ端子３１〜３４の少なくとも１つにおいて挿入が浅い場合には、電磁リレーカバー１で押し込みを行うことができるため、電磁リレーカバー１は、コネクタ端子３１〜３４の挿入不足を防止することができる。
【００３６】
なお、本実施形態では、第１側板１２は、左右方向における上板１１の一端部（第１端部）から下方向に延びて設けられ、第２側板１３は、左右方向における上板１１の他端部（第２端部）から下方向に延びて設けられている構成とした。しかしながら、この構成に限定されない。第１側板１２は、前後方向における上板１１の一端部（第１端部）から下方向に、第２側板１３は、前後方向における上板１１の他端部（第２端部）から下方向に、それぞれ延びて設けられる構成であってもよい。
【００３７】
また、本実施形態の電磁リレーカバー１は、電磁リレー２０を固定するための固定ねじ５０，５１で、電磁リレー２０とともに載置体６０に固定される構成としたが、この構成に限定されない。電磁リレーカバー１と電磁リレー２０とは、互いに異なる固定ねじで載置体６０に固定される構成であってもよい。
【００３８】
また、本実施形態では、電磁リレー２０はヒンジ式であるとしたが、これに限定されない。電磁リレー２０は、プランジャ式であってもよい。
【００３９】
また、本実施形態では、第１固定部１４は、半円状の第１凹部１４１を有し、第１凹部１４１を固定ねじ５０が通る構成としたが、この構成に限定されない。第１固定部１４は、貫通孔を有し、固定ねじ５０が当該貫通孔に挿入される構成であってもよい。また、第２固定部１５も、同様に、貫通孔を有し、固定ねじ５１が当該貫通孔に挿入される構成であってもよい。
【００４０】
また、本実施形態の電磁リレーカバー１は、上板１１がコネクタ端子３１〜３４を電磁リレー２０との間で挟み、第１側板１２と第２側板１３とが、電磁リレー２０を挟み込む構成としたが、この構成に限定されない。電磁リレーカバー１は、少なくとも上板１１がコネクタ端子３１〜３４を電磁リレー２０との間で挟む構成であればよい。
【００４１】
以上説明したように、本実施形態の電磁リレーカバー１は、本体部１０と、複数の固定部（第１固定部１４、第２固定部１５）とを備える。本体部１０は、コネクタ端子３１〜３４が電磁リレー２０に装着された状態で、コネクタ端子３１〜３４を電磁リレー２０との間で挟む。第１固定部１４および第２固定部１５は、本体部１０の両端部から延びて設けられており、載置体６０に固定される。
【００４２】
この構成によると、本体部１０がコネクタ端子３１〜３４を電磁リレー２０との間で挟み、本体部１０の両端部から延びて設けられた複数の固定部（第１固定部１４、第２固定部１５）が載置体６０に固定される。これにより、電磁リレーカバー１は、コネクタ端子が電磁リレーから抜ける可能性を低くすることができる。
【００４３】
ここで、第１固定部１４および第２固定部１５は、対応する固定ねじ５０，５１によりコネクタ端子３１〜３４の挿抜方向で載置体６０に固定されることが好ましい。この構成によると、第１固定部１４および第２固定部１５が、対応する固定ねじ５０，５１によりコネクタ端子３１〜３４の挿抜方向で載置体６０に固定されるので、電磁リレーカバー１は、コネクタ端子３１〜３４の挿入不足を防止することができる。
【００４４】
ここで、第１固定部１４、第２固定部１５は、対応する固定ねじ５０，５１により電磁リレー２０とともに載置体６０に固定されることが好ましい。この構成によると、電磁リレーカバー１で、電磁リレー２０を固定する際に、固定ねじの数を削減することができる。
【００４５】
ここで、本体部１０は、第１板部（上板１１）と、複数の第２板部（第１側板１２、第２側板１３）とを有していることが好ましい。上板１１は、コネクタ端子３１〜３４の挿抜方向でコネクタ端子３１〜３４を電磁リレー２０との間で挟む。第１側板１２および第２側板１３は、上板１１の両端からコネクタ端子３１〜３４の挿抜方向に延びて設けられており、コネクタ端子３１〜３４の挿抜方向と直交する一の方向で電磁リレー２０を挟み込む。この構成によると、電磁リレーカバー１は、コネクタ端子３１〜３４が装着された電磁リレー２０を、より確実に固定することができる。
【００４６】
（実施形態２）
本実施形態では、電磁リレー２０において左右方向の両面に複数のロック爪２７，２８を有している点が、実施形態１とは異なる。以下、本実施形態では、実施形態１と異なる点を中心に、図３Ａ，３Ｂ、図４を説明する。なお、実施形態１と同様の構成要素には同一の符号を付して説明を適宜省略する。
【００４７】
本実施形態の電磁リレー２０は、長手方向（左右方向）の面２０ａ、２０ｂに形状が同一であるロック爪２７，２８を、それぞれ有している（図３Ｂ参照）。
【００４８】
電磁リレーカバー１は、本体部１０と複数の固定部（第１固定部１４ａ、第２固定部１５ａ）とを備える（図３Ａ，３Ｂ参照）。
【００４９】
電磁リレーカバー１の本体部１０は、上板１１と、コネクタ端子３１〜３４の挿抜方向（上下方向）と直交する一の方向（左右方向）で電磁リレー２０を挟み込む第１側板１２ａ、第２側板１３ａ（複数の第２板部）とを有している。
【００５０】
第１側板１２ａは、左右方向における上板１１の一端部（第１端部）から下方向に延びて設けられ、第２側板１３ａは、左右方向における上板１１の他端部（第２端部）から下方向に延びて設けられている（図３Ｂ参照）。第１側板１２ａには開口部１２２が、第２側板１３ａには貫通孔１３２が、それぞれ設けられている（図３Ｂ参照）。
【００５１】
第１固定部１４ａは、第１側板１２ａから右方向に延びて設けられている（図３Ｂ参照）。第１固定部１４ａは、中央部位に貫通孔１４２を有している。固定ねじ５０は、電磁リレー２０が載置体６０に固定される際には、貫通孔１４２に挿入される。
【００５２】
また、第１固定部１４ａは、開口部１２２内において、左右方向における左端部から上方向に係止部１４３が延びて設けられている。係止部１４３の前後方向における長さは、開口部１２２の前後方向における長さよりも短い（図４参照）。
【００５３】
また、第１固定部１４ａでは、切欠部１６ａ，１７ａを有している。これにより、第１固定部１４ａのうち係止部１４３を有する部位１４４にばね性（弾性）を持たせることができる。
【００５４】
第２固定部１５ａは、第２側板１３ａから左方向に延びて設けられている（図３Ｂ参照）。第２固定部１５は、中央部位に貫通孔１５２を有している。固定ねじ５１は、電磁リレー２０を載置体６０に固定する際には、貫通孔１５２に挿入される。
【００５５】
係止部１４３の上端は、電磁リレー２０のロック爪２７の下部と接触することで、係止されている（図４参照）。係止部１４３がロック爪２７により係止されることで、第１側板１２ａはコネクタ端子３１〜３４の挿抜方向への本体部１０の移動を抑止する。
【００５６】
第２側板１３ａの貫通孔１３２には、ロック爪２８が挿入される。貫通孔１４２にロック爪２８が挿入されることで、第２側板１３ａはコネクタ端子３１〜３４の挿抜方向への本体部１０の移動を抑止する。
【００５７】
なお、本実施形態では、ロック爪２７，２８は、電磁リレー２０における長手方向（左右方向）の面２０ａ、２０ｂにそれぞれ設けられる構成としたが、この構成に限定されない。ロック爪２７，２８は、電磁リレー２０における短手方向（前後方向）の両面に、それぞれ設けられる構成であってもよい。この場合、第１側板１２ａは、前後方向における上板１１の一端部から下方向に、第２側板１３ａは、前後方向における上板１１の他端部から下方向に、それぞれ延びて設けられる。
【００５８】
また、本実施形態では、本体部１０は、互いに異なる第１側板１２ａと第２側板１３ａとを有する構成としたが、この構成に限定されない。第２側板１３ａは、第１側板１２ａと同一の形状であってもよい。このとき、第２固定部１５ａは、第１固定部１４ａと同様に、第２側板１３ａの開口部内において、左右方向における右端部から上方向に係止部が延びて設けられる。ここで、当該係止部の前後方向における長さは、第２側板１３ａの開口部の前後方向における長さよりも短い。この場合、第２固定部１５ａに設けられた係止部の上端は、電磁リレー２０のロック爪２８の下部と接触することで、係止されている。この係止部がロック爪２８により係止されることで、第２側板１３ａはコネクタ端子３１〜３４の挿抜方向への本体部１０の移動を抑止する。
【００５９】
また、本実施形態では、電磁リレー２０は、２つのロック爪２７，２８を有する構成としたが、この構成に限定されない。電磁リレー２０は一の方向（左右方向または前後方向）の両面のうち少なくとも１つの面にロック爪を有していればよい。この場合、電磁リレーカバー１では、少なくとも１つの係止部が設けられている。
【００６０】
また、本実施形態では、電磁リレー２０は固定ねじで固定されない構成、つまり載置体６０と上板１１とで、コネクタ端子３１〜３４が装着された状態の電磁リレー２０を挟み込むのみで電磁リレー２０を固定する構成としたが、この構成に限定されない。例えば、実施形態１と同様に、電磁リレー２０は、円形状の貫通孔２５１を有する第１設置部２５、円形状の貫通孔２６１を有する第２設置部２６を有する構成であってもよい（図１Ｂ参照）。この場合、電磁リレーカバー１が電磁リレー２０に装着された後、固定ねじ５０は、貫通孔１４２および貫通孔２５１を介して、ねじ孔６１に挿入される。固定ねじ５１は、貫通孔１５２および貫通孔２６１を介して、ねじ孔６２に挿入される。
【００６１】
以上説明したように、本実施形態の電磁リレーカバー１において、電磁リレー２０は、面２０ａ，２０ｂのうち少なくとも１つの面（例えば、面２０ａ）に設けられたロック爪（例えば、ロック爪２７）を有している。第１固定部１４および第２固定部１５のうち少なくとも１つの固定部（例えば、第１固定部１４）には、係止部１４３が設けられている。係止部１４３は、コネクタ端子３１〜３４の挿抜方向への本体部１０の移動を抑止するようにロック爪２７により係止される。この構成によると、係止部１４３により、本体部１０がコネクタ端子３１〜３４の挿抜方向へ移動することを抑止することができる。
【００６２】
（実施形態３）
本実施形態では、電磁リレー２０に第１設置部２５、第２設置部２６が設けられていない点が、実施形態１とは異なる。以下、本実施形態では、実施形態１と異なる点を中心に、図５Ａ，５Ｂ、図６を説明する。なお、実施形態１と同様の構成要素には同一の符号を付して説明を適宜省略する。
【００６３】
電磁リレーカバー１は、本体部１０と複数の固定部（第１固定部１４ｂ、第２固定部１５ｂ）とを備える（図５Ａ，５Ｂ参照）。
【００６４】
電磁リレーカバー１の本体部１０は、上板１１と、コネクタ端子３１〜３４の挿抜方向（上下方向）と直交する一の方向（左右方向）で電磁リレー２０を挟み込む複数の側板（第１側板１２ｂ、第２側板１３ｂ）とを有している。
【００６５】
第１側板１２ｂは、左右方向における上板１１の一端部（第１端部）から下方向に延びて設けられており、第２側板１３ｂは、左右方向における上板１１の他端部（第２端部）から下方向に延びて設けられている（図５Ｂ参照）。第１側板１２ｂには第１開口部１２５が、第２側板１３ｂには第２開口部１３５が、それぞれ設けられている（図５Ｂ参照）。
【００６６】
第１固定部１４ｂは、第１側板１２ｂから右方向に延びて設けられている（図５Ｂ参照）。第１固定部１４ｂは、中央部位に貫通孔１４５を有している。固定ねじ５０は、電磁リレー２０を載置体６０に固定する際には、貫通孔１４５に挿入される。
【００６７】
また、第１固定部１４ｂは、第１開口部１２５の下部において、左右方向における左端部から左方向に爪部１４６が延びて設けられている。爪部１４６の前後方向における長さは、第１開口部１２５の前後方向における長さよりも短い（図５Ｂ参照）。
【００６８】
また、第１固定部１４ｂでは、切欠部１６ｂ，１７ｂを有している。これにより、第１固定部１４ｂのうち爪部１４６を有する部位１４７にばね性（弾性）を持たせることができる。
【００６９】
第２固定部１５ｂは、第２側板１３ｂから左方向に延びて設けられている（図５Ｂ参照）。第２固定部１５ｂは、中央部位に貫通孔１５５を有している。固定ねじ５１は、電磁リレー２０を載置体６０に固定する際には、貫通孔１５５に挿入される。
【００７０】
また、第２固定部１５ｂは、第２開口部１３５の下部において、左右方向における右端部から右方向に爪部１５６が延びて設けられている。爪部１５６の前後方向における長さは、第２開口部１３５の前後方向における長さよりも短い（図５Ｂ参照）。
【００７１】
爪部１４６，１５６は、載置体６０に取付られる際に、載置体６０の上面６０ｃと、載置体６０と対向する電磁リレー２０の下面２０ｃ（対向面）との間に入り込む（図６参照）。これにより、コネクタ端子３１〜３４が装着された状態の電磁リレー２０は、上板１１と爪部１４６，１５６との間で挟み込まれる。
【００７２】
なお、本実施形態では、第１側板１２ｂは、左右方向における上板１１の一端部（第１端部）から下方向に延びて設けられており、第２側板１３ｂは、左右方向における上板１１の他端部（第２端部）から下方向に延びて設けられている構成とした。しかしながら、この構成に限定されない。第１側板１２ｂは、前後方向における上板１１の一端部（第１端部）から下方向に、第２側板１３ｂは、前後方向における上板１１の他端部（第２端部）から下方向に、それぞれ延びて設けられる構成であってもよい。
【００７３】
また、本実施形態では、本体部１０は、互いに異なる第１側板１２ｂと第２側板１３ｂとを有する構成としたが、この構成に限定されない。第１側板１２ｂと第２側板１３ｂとは、互いに同一の形状であってもよい。
【００７４】
また、各実施形態において、電磁リレーカバー１は、合成樹脂、金属等の材料で形成されるとしたが、セラミックで形成されてもよい。
【００７５】
以上説明したように、本実施形態の電磁リレーカバー１において、第１固定部１４および第２固定部１５は、爪部１４６，１５６をそれぞれ備える。爪部１４６，１５６は、載置体６０と、載置体６０に対向する電磁リレー２０の対向面（下面２０ｃ）との間に、コネクタ端子３１〜３４および電磁リレー２０を第１板部（上板１１）との間で挟み込む。
【００７６】
この構成によると、電磁リレーカバー１は、コネクタ端子３１〜３４が電磁リレー２０から抜けることを、より確実に防止することができる。
【符号の説明】
【００７７】
１    電磁リレーカバー
１０    本体部
１１    上板（第１板部）
１２，１２ａ，１２ｂ  第１側板（第２板部）
１３，１３ａ，１３ｂ  第２側板（第２板部）
１４，１４ａ，１４ｂ  第１固定部（固定部）
１５，１５ａ，１５ｂ  第２固定部（固定部）
２０    電磁リレー
２０ｃ  下面（対向面）
２７，２８  ロック爪
３１〜３４  コネクタ端子
６０    載置体
１４３    係止部
１４６，１５６  爪部
【図１】
2017168368.tif 000003
【図２】
2017168368.tif 000004
【図３】
2017168368.tif 000005
【図４】
2017168368.tif 000006
【図５】
2017168368.tif 000007
【図６】
2017168368.tif 000008